(57)【特許請求の範囲】
【請求項１】
周囲に壁立て付け面部を設けた水平方向の洗い場部と、浴槽をはめ込むタブ受け部であって、周囲に壁立て付け面部を設けた水平方向のタブ受け部と、これら洗い場部とタブ受け部を連結する垂直方向のエプロン部とを一体形成した防水パンにおいて、前記洗い場部とエプロン部とタブ受け部に連なる階段状の補強金具をそれらの裏側で、かつ前記洗い場部およびタブ受け部側部の壁立て付け面部近傍に取り付けた風呂用防水パン。
【発明の詳細な説明】
【０００１】
【発明の属する技術分野】
本発明は洗い場部と浴槽をはめ込むタブ受け部が一体に形成された構造の風呂用防水パンに関する。
【０００２】
【従来の技術】
従来、洗い場部１とタブ受け部２とエプロン部３が一体に形成される防水パン４を有する浴室ユニットは図４に示す構成であった。すなわち、防水パン４に開口部５を設け、タブ６を嵌め込み、複数の高さ調整が可能な脚部７を設けて、設置面８の所定の位置にて建築側の床面９の高さに合わせて防水パン４の高さを調節するとともに、防水パン４の外周に設けた壁立て付け面部１０の水準を出し、複数の壁パネル１１及びドア部１２を壁立て付け面部１０上に載置し、ドア部１２と建築側の床９及び壁面とが連結される構成となる。
【０００３】
【発明が解決しようとする課題】
しかしながら上記のような構成では、洗い場部１とタブ受け部２とエプロン部３が一体に形成される結果、エプロン面の強度が弱くなり、防水パン本体の反りや変形のために洗い場１側の壁立て付け面部１０とタブ受け部２側の壁立て付け面部１０の平行が脚部７の調整だけでは出せず、壁パネル１１を垂直に立て付けるのが困難であった。
【０００４】
壁立て付け面部１０が平行でないままの状態で壁パネル１１及びドア１２を載置すると、壁パネル１１及びドア１２が垂直でないため建築側の床及び壁面との連結がうまくできなかった。
【０００５】
また、このような場合壁パネル１１及びドア１２を垂直に載置しようとすると、壁立て付け面部１０及び隣接する壁パネル１１及びドア１２間に不均一な隙間が発生し外観上問題があるとともに、水密性能を損なう恐れがあった。
【０００６】
本発明は、かかる従来の問題を解消するもので床設置時壁立て付け面部の平行度を出すとともに、強度の確保ができる浴室ユニットを提供することを目的とする。
【０００７】
【課題を解決するための手段】
本発明は上記課題を解決するため、周囲に壁立て付け面部を設けた水平方向の洗い場部と、浴槽をはめ込むタブ受け部であって、周囲に壁立て付け面部を設けた水平方向のタブ受け部と、これら洗い場部とタブ受け部を連結する垂直方向のエプロン部とを一体形成した防水パンにおいて、前記洗い場部とエプロン部とタブ受け部に連なる階段状の補強金具をそれらの裏側で、かつ前記洗い場部およびタブ受け部側部の壁立て付け面部近傍に取り付けたもので、変形を抑制し、タブ受け側の壁立て付け面部と洗い場側の壁立て付け面部
を確実に平行にすることができ、エプロン部の強度も確保できる。
【０００８】
【発明の実施の形態】
本発明は、周囲に壁立て付け面部を設けた水平方向の洗い場部と、浴槽をはめ込むタブ受け部であって、周囲に壁立て付け面部を設けた水平方向のタブ受け部と、これら洗い場部とタブ受け部を連結する垂直方向のエプロン部とを一体形成した防水パンにおいて、前記洗い場部とエプロン部とタブ受け部に連なる階段状の補強金具をそれらの裏側で、かつ前記洗い場部およびタブ受け部側部の壁立て付け面部近傍に取り付けたものである。
【０００９】
したがって、補強金具により、タブ受け側の壁立て付け面部と洗い場側の壁立て付け面部を平行にすることができ、エプロン部の強度も確保できる浴室ユニットを提供することが可能となる。
【００１０】
【実施例】
以下、本発明の実施例を添付図面に基づいて説明する。
【００１１】
（実施例１）
図１において、防水パン４は洗い場部１とタブ受け部２とエプロン部３を設けて一体に形成しており、調整可能な脚部７を設けて防水パン４の高さ調整を行なうとともに外周部にもうけた壁立て付け面部１０の水準を出し、タブ受け部２側に設けた壁立て付け面部１０及び、洗い場１側に設けた壁立て付け面部１０上に複数の壁パネル１１及びドア１２を載置している。
【００１２】
また、ドア部にて建築側の床部及び壁部と連結されている。防水パン４の裏面には、図に示すように洗い場部１とタブ受け部２とエプロン部３に連なる階段状の補強金具１３を洗い場部１およびタブ受け部２の壁立て付け面部近傍に設けている。
【００１３】
補強金具１３の一例として、図２に斜視図を示す。補強金具１３は金具としての強度が保持できるようにＬ状の金具とし、梁部１３ａを設けたり、折り曲げ片１３ｂ、１３ｃを設けて強度アップさせてある。
【００１４】
そしてこれらの補強金具１３は防パン４の洗い場部１とタブ受け部２とエプロン部３とにそれぞれ数箇所ポップリベットなどにより固定することにより取り付ける。
【００１５】
上記構成において、補強金具１３が裏面より洗い場部１とタブ受け部２とエプロン部３とに沿って取付けられているため、洗い場１側壁立て付け面部１０とタブ受け部２側壁付け面部１０は平行な関係となるため、脚部７の調整により防水パン４は容易に水準を出す事ができる。エプロン部３は階段状の補強金具１３の面に沿っているため、エプロン部３の強度も確保できるものである。
【００１６】
（実施例２）
図３は実施例２を示し、これは洗い場部１とタブ受け部２とエプロン部３を一体に形成してなる防水パン４のエプロン面に点検開口１４を設けたものである。点検開口１４は、タブ６下部の点検のために必要な場合があり、特に噴流付きの浴槽にした場合には、メンテナンスのため必ず必要である。その他は、実施例１と同様である。このように、エプロン部３に開口１４を設けた場合、エプロン面の強度はさらに低下するが、防水パン４の裏面に洗い場部１とタブ受け部２とエプロン部３に連なる階段状の補強金具１３を洗い場部１およびタブ受け部２の壁立て付け面部近傍に設けることにより、エプロン部３の強度が増し、所定の強度を確保することができる。
【００１７】
（実施例３）
次に、製造方法の実施例について述べる。
【００１８】
防水パンの成形では、周囲に壁立て付け面部を設けた洗い場部とタブをはめ込むタブ受け部とエプロン部を一体にした金型を用いる。防水パンの裏面には強度を確保するために適時リブ構造を設けてある。
【００１９】
シートモールドコンパウンド（ＳＭＣ）材料をタブ受けの壁立て付け面部と洗い場側にチャージし、高温（１４０度）・高圧（５０〜１００Ｋｇ／ｃｍ２）で成形する。脱型後、防水パンの裏面に、洗い場部とタブ受け部とエプロン部に連なる階段状の補強金具を洗い場部およびタブ受け部の壁立て付け面部近傍に取り付ける。
【００２０】
エプロン面は立ち面となり材料をチャージすることはできず、その結果としてエプロン面は主に洗い場側からＳＭＣの材料が流れることになる。
【００２１】
このような樹脂の流れによりエプロン部にウェルドが発生してエプロン面は強度的に弱い成形体となったり、樹脂の流れにより成形後の反りや変形のバラツキが発生する。それを補強金具により補正することにより、エプロン面の強度の向上と反りや変形のバラツキを防止できる。
【００２２】
（実施例４）
洗い場部１にヒータを埋設する場合は、実施例３に加えて、洗い場部１側に表面の固着シートと、ヒータを任意の配列に構成するため予め不織布に縫い付けて構成したヒータシートユニットと、ＳＭＣ材料を用い、高温（１４０度）・高圧（５０〜１００Ｋｇ／ｃｍ２）で成形する。固着シートとヒータが加わり、ＳＭＣの流れはさらに複雑となり、エプロン面へのウエルドが発生しやすくなる。
【００２３】
そこで補強金具を取り付けることにより、実施例３で説明したように強度を補強し、変形の補正も可能となる。
【００２４】
【発明の効果】
以上の説明から明らかなように本発明によれば、設置時容易に壁立て付け面部の平行度及び水準を出すことができるとともに、エプロン部の強度確保ができる浴室ユニットを提供することができる。
【図面の簡単な説明】
【図１】  本発明の実施例１における防水パンを含む浴室ユニットの断面図
【図２】  （ａ）（ｂ）（ｃ）は本発明の防水パンに取り付ける補強金具の斜視図
【図３】  本発明の実施例２における防水パンの斜視図
【図４】  従来の防水パンを含む浴室ユニットの断面図
【符号の説明】
１ 洗い場部
２ タブ受け部
３ エプロン部
４ 防水パン
１３ 補強金具
１４ 点検開口
【図１】
0003962126.tif 000002
【図２】
0003962126.tif 000003
【図３】
0003962126.tif 000004
【図４】
0003962126.tif 000005